(57)【要約】【課題】  鳥を止まり難くすることができるとともに簡単な構成で耐久性を備えた鳥避け器具を提供する。【解決手段】  鳥避け器具１０００は、互いに所定間隔を空けて立設され、それぞれに掛合具１４１、１４２が設けられた第１支柱１３１及び第２支柱１３２と、掛合具１４１、１４２に支持されることで第１支柱１３１及び第２支柱１３２の間に架設された架設部分１１０ａ及び第１支柱１３１の掛合具１４１を越えて延在する第１延在部分１１０ｂを含んでおり、第１支柱１３１の掛合具１４１に対して移動可能に支持される可撓性を備えたワイヤ１１０と、ワイヤ１１０の第１延在部分１１０ｂに取り付けられて上下動可能及び第１支柱１３１に対して接触可能に吊り下げられた第１錘１２１とを有し、第１錘１２１の重量によってワイヤ１１０の少なくとも架設部分１１０ａに張力が与えられた状態になっていることを特徴とする。【選択図】図１
0003156186.tif 000002
【実用新案登録請求の範囲】
【請求項１】
互いに所定間隔を空けて立設され、それぞれに掛合部が設けられた第１支柱及び第２支柱と、前記掛合部に支持されることで前記第１支柱及び前記第２支柱の間に架設された架設部分及び前記第１支柱の前記掛合部を越えて延在する第１延在部分を含んでおり、前記第１支柱の前記掛合部に対して移動可能に支持される可撓性を備えた架け渡し部材と、前記架け渡し部材の前記第１延在部分に取り付けられて上下動可能及び前記第１支柱に対して接触可能に吊り下げられた第１錘とを有し、前記第１錘の重量によって前記架け渡し部材の少なくとも前記架設部分に張力が与えられた状態になっていることを特徴とする鳥避け器具。
【請求項２】
前記架け渡し部材は前記第２支柱の前記掛合部を越えて延在する第２延在部分を含んでいるとともに前記第２支柱の前記掛合部に対して移動可能に支持されており、前記架け渡し部材の前記第２延在部分には第２錘が取り付けられて上下動可能及び前記第２支柱に対して接触可能に吊り下げられており、前記第２錘の重量によって前記架け渡し部材の少なくとも前記架設部分に張力が与えられた状態になっていることを特徴とする請求項１に記載の鳥避け器具。
【請求項３】
前記第１支柱と前記第２支柱との上端部がそれぞれ先細テーパ状であることを特徴とする請求項１又は請求項２に記載の鳥避け器具。
【請求項４】
掛合部が設けられた１本以上の第３支柱が前記第１支柱及び前記第２支柱の間に立設されており、前記架け渡し部材の前記架設部分が前記１本以上の第３支柱の前記掛合部に移動可能に支持されていることを特徴とする請求項１から請求項３までのいずれか１項に記載の鳥避け器具。
【請求項５】
前記架け渡し部材の前記架設部分が傾斜していることを特徴とする請求項１から請求項４までのいずれか１項に記載の鳥避け器具。
【考案の詳細な説明】
【技術分野】
【０００１】
本考案は、鳥を追い払うことのできる鳥避け器具に関する。
【背景技術】
【０００２】
従来から、鳥避け器具には様々な種類のものが考案されており、その中の１つに鳥が止まると音が発生してこの音により鳥を驚かせて追い払うものがあり、例えば特許文献１及び特許文献２に記載されている。
【０００３】
特許文献１に記載の鳥避け器具（鳥獣害防除用発音板）は、表面にくぼみが設けられ、屈曲した板ばねからなる発音板と、前記発音板の両端部にそれぞれ取り付けられた紐と、前記紐の両方の端部がそれぞれ取り付けられた状態で前記紐が架設された一対の支柱とを有している。鳥が前記紐に止まると、前記発音板に張力が印加されて、前記くぼみのくぼみ方向が入れ替わり、これに伴って音が発生するようになっている。
【０００４】
特許文献２に記載の鳥避け器具（鳥類着止・営巣防止体）は、上部体と、前記上部体を上下方向に揺動可能に支持するコイルばね（弾性部材）と、前記上部体の下側位置に配置された一端部及び前記上部体の背面を打撃可能な他端部を備えた回動自在な略Ｌ字形のレバーとを有している。鳥が前記上部体に止まると、前記上部体が前記コイルばねを圧縮しながら降下して前記レバーの一端部を押し下げる。これにより前記レバーが回動してその他端部が前記上部体の背面に衝突して音が発生するようになっている。
【先行技術文献】
【特許文献】
【０００５】
【特許文献１】実用新案登録第２５８０３６１号公報
【特許文献２】実開平７−４４８９８号公報
【考案の概要】
【考案が解決しようとする課題】
【０００６】
しかしながら、特許文献１に記載の鳥避け器具では、前記紐の両方の端部が前記一対の支柱にそれぞれ取り付けられた状態で前記紐がある程度の張力が与えられた状態で前記一対の支柱間に架設されていることにより、鳥が容易に前記紐に止まることができるので、鳥がこの鳥避け器具の発生音に慣れてしまうと前記紐に群がってしまう恐れがあるという問題がある。
【０００７】
一方、特許文献２に記載の鳥避け器具は、前記上部体と前記コイルばねと前記レバーとを連動させて音を発生させており、その機構が複雑なために壊れ易く前記コイルばねの経時劣化によって作動不能になる場合もあるなど耐久性に欠けるという問題がある。
【０００８】
そこで、本考案は上記問題点を解決するものであり、その課題は、鳥が止まり難くすることができるとともに、単純な機構で壊れ難く耐久性を備えた鳥避け器具を提供することにある。
【課題を解決するための手段】
【０００９】
上記課題を解決するために本考案の鳥避け器具は、互いに所定間隔を空けて立設され、それぞれに掛合部が設けられた第１支柱及び第２支柱と、前記掛合部に支持されることで前記第１支柱及び前記第２支柱の間に架設された架設部分及び前記第１支柱の前記掛合部を越えて延在する第１延在部分を含んでおり、前記第１支柱の前記掛合部に対して移動可能に支持される可撓性を備えた架け渡し部材と、前記架け渡し部材の前記第１延在部分に取り付けられて上下動可能及び前記第１支柱に対して接触可能に吊り下げられた第１錘とを有し、前記第１錘の重量によって前記架け渡し部材の少なくとも前記架設部分に張力が与えられた状態になっていることを特徴とする。
【００１０】
この考案によれば、鳥が前記架け渡し部材の前記架設部分に止まると、前記架け渡し部材を介して前記第１錘が上下動するので、前記架け渡し部材の前記架設部分を容易に撓ませることができるとともに、前記第１錘の上下動の態様によっては前記第１錘が前記第１支柱に接触して音を発生させることができる。また、鳥が前記架け渡し部材の前記架設部分から離れると、前記第１錘の重量によって前記架け渡し部材の前記架設部分が元の架設状態に戻る。
【００１１】
ここで、前記架け渡し部材は例えばワイヤロープ、紐又は糸で構成できる。
【００１２】
また、前記第１錘は前記第１支柱の外径より大きい内径を備えた開口又は切り欠きを有しており、前記開口又は前記切り欠きに前記第１支柱が挿通された状態で係合していることが好ましい。これによれば、前記第１錘がいずれの態様で動作しても前記第１錘を前記第１支柱に保持できるとともに確実に音を発生させることができる。なお、この場合に前記第１錘を環状やＣ字状に形成することが簡易な形状で確実に係合させることができる点で好ましい。
【００１３】
また、前記第１錘と前記第１支柱はそれぞれ金属製であることが好ましい。前記第１錘と前記第１支柱の接触音の音量を大きくすることができるからである。
【００１４】
さらに、前記第１支柱の前記掛合部は、前記第１支柱に形成された孔でもよいし、前記第１支柱の周面部に取り付けられた環状体、Ｃ字状体又はＵ字状体でもよいなど、前記架け渡し部材を移動可能に支持できる構造であればよい。
【００１５】
本考案において、前記架け渡し部材は前記第２支柱の前記掛合部を越えて延在する第２延在部分を含んでいるとともに前記第２支柱の前記掛合部に対して移動可能に支持されており、前記架け渡し部材の前記第２延在部分には第２錘が取り付けられて上下動可能及び前記第２支柱に対して接触可能に吊り下げられており、前記第２錘の重量によって前記架け渡し部材の少なくとも前記架設部分に張力が与えられた状態になっていることが好ましい。
【００１６】
この考案によれば、鳥が前記架け渡し部材の前記架設部分に止まると、前記架け渡し部材を介して前記第１錘と前記第２錘の両方が上下動するので、前記架け渡し部材の前記架設部分をさらに容易に撓ませることができるとともに、前記第１錘と前記第２錘の上下動の態様によっては前記第１錘と前記第２錘が前記第１支柱と前記第２支柱にそれぞれ接触して音を発生させることができ、前記第１錘のみの発生音に比べて音量を大きくすることができる。また、鳥が前記架け渡し部材の前記架設部分から離れると、前記第１錘と前記第２錘の両方の重量によって前記架け渡し部材の前記架設部分を前記第１錘の重量のみの場合に比べて早く元の架設状態に戻すことができる。
【００１７】
ここで、前記第２錘は前記第２支柱の外径より大きい内径を備えた開口又は切り欠きを有しており、前記開口又は前記切り欠きに前記第２支柱が挿通された状態で係合していることが好ましい。これによれば、前記第２錘がいずれの態様で動作しても前記第２錘を前記第２支柱に保持できるとともに確実に音を発生させることができる。なお、この場合に前記第２錘を環状やＣ字状に形成することが簡易な形状で確実に係合させることができる点で好ましい。
【００１８】
また、前記第２錘と前記第２支柱はそれぞれ金属製であることが好ましい。前記第２錘と前記第２支柱の接触音の音量を大きくすることができるからである。
【００１９】
さらに、前記第２支柱の前記掛合部は、前記第２支柱に形成された孔でもよいし、前記第２支柱の周面部に取り付けられた環状体、Ｃ字状体又はＵ字状体でもよいなど、前記架け渡し部材を移動可能に支持できる構造であればよい。
【００２０】
本考案において、前記第１支柱と前記第２支柱との上端部がそれぞれ先細テーパ状であることが好ましい。この考案によれば、前記第１支柱と前記第２支柱との上端部がそれぞれ先細テーパ状であるので、前記第１支柱と前記第２支柱とのそれぞれに対して鳥を止まり難くすることができる。
【００２１】
ここで、前記先細テーパ状は円錐状でもよいし角錐状でもよいなど、鋭く尖った先端と傾斜した側部とを備えた形状であればよい。
【００２２】
本考案において、掛合部が設けられた１本以上の第３支柱が前記第１支柱と前記第２支柱の間に立設されており、前記架け渡し部材の前記架設部分が前記１本以上の第３支柱の前記掛合部に移動可能に支持されていることが好ましい。
【００２３】
この考案によれば、前記架け渡し部材の前記架設部分が前記１本以上の第３支柱の前記掛合部によって移動可能に支持されているので、前記架け渡し部材の架設態様を任意に設定できる。
【００２４】
ここで、前記１本以上の第３支柱の前記掛合部は、前記１本以上の第３支柱のそれぞれに形成された孔でもよいし、前記１本以上の第３支柱のそれぞれの周面部に取り付けられた環状体、Ｃ字状体又はＵ字状体でもよいなど、前記架け渡し部材の前記架設部分を移動可能に支持できる構造であればよい。
【００２５】
また、前記１本以上の第３支柱の上端部が先細テーパ状であることが好ましい。前記１本以上の第３支柱に対して鳥を止まり難くすることができるからである。なお、この場合に前記先細テーパ状は円錐状でもよいし角錐状でもよいなど、鋭く尖った先端と傾斜した側部とを備えた形状であればよい。
【００２６】
本考案において、前記架け渡し部材の前記架設部分が傾斜していることが好ましい。この考案によれば、前記架け渡し部材の前記架設部分が傾斜しているので、前記架け渡し部材の前記架設部分が水平になっている場合に比べて前記架け渡し部材の前記架設部分に対して鳥を止まり難くすることができる。なお、前記１本以上の第３支柱の前記掛合部の高さを前記第１支柱又は前記第２支柱の前記掛合部の高さと異ならせることで前記架設部分を傾斜させることができる。
【考案の効果】
【００２７】
以上、説明したように本考案によれば、前記架け渡し部材の前記架設部分を容易に撓ませることができるとともに、前記第１錘の上下動の態様によっては前記第１錘が前記第１支柱に接触して音を発生させることができるので、前記架け渡し部材の前記架設部分の撓み動作と、音と、前記架け渡し部材を介して伝達される振動とによって鳥を追い払うことができる。また、前記第１錘の重量によって前記架け渡し部材の前記架設部分が元の架設状態に戻るので、単純な機構で壊れ難く耐久性を備えることができるという優れた効果を奏し得る。
【図面の簡単な説明】
【００２８】
【図１】本考案に係る実施形態の鳥避け器具を斜め前方から見た状態を模式的に示す概略斜視図である。
【図２】図１の仮想平面IIによる切断面の一部を拡大して示す概略部分縦断面図である。
【図３】別の実施形態の断面図の一部を拡大して示す概略部分縦断面図である。
【図４】図１の仮想平面IIIによる切断面の一部を示す概略縦断面図である。
【図５】本実施形態の鳥避け器具の一部を切り欠いた状態を模式的に示す概略斜視図である。
【考案を実施するための形態】
【００２９】
以下に、本考案に係る実施形態の鳥避け器具について詳細に説明する。図１は本実施形態の鳥避け器具を斜め前方から見た状態を模式的に示す概略斜視図、図２は図１の仮想平面IIによる切断面の一部を拡大して示す概略部分縦断面図、図４は図１の仮想平面IIIによる切断面を示す概略縦断面図、及び図５は鳥避け器具の一部を切り欠いた状態を模式的に示す概略斜視図である。この鳥避け器具１０００は、鳥を音で追い払う鳥威嚇器１００と鳥の接近を防止する防鳥器２００とを有している。
【００３０】
［鳥威嚇器］
図１及び図２に示すように、鳥威嚇器１００は１本のワイヤ１１０と、このワイヤ１１０に取り付けられた第１錘１２１及び第２錘１２２と、立設された３本の支柱とを有している。
【００３１】
ワイヤ１１０は複数本の金属線を撚り合わせて作った鋼線であり、可撓性を備えている。また、第１錘１２１及び第２錘１２２はそれぞれ金属製の円環状であり、その内側に略垂直方向に貫通する開口１２１Ａ、１２２Ａがそれぞれ形成されている。
【００３２】
３本の支柱はそれぞれ金属製の円筒状であり、互いに所定間隔を空けて一列に配列されている。これら３本の支柱のうち両側の２本の支柱が第１支柱１３１と第２支柱１３２であり、真ん中の１本の支柱が第３支柱１３３である。これら第１支柱１３１と第２支柱１３２と第３支柱との上端部１３１ａ、１３２ａ、１３３ａがそれぞれ円錐状に形成されているとともに、これら第１支柱１３１と第２支柱１３２と第３支柱１３３には掛合具１４１、１４２、１４３がそれぞれ設けられている。
【００３３】
これら掛合具１４１、１４２、１４３はそれぞれ略円環状であり、その内側に略水平方向に貫通する開口１４１Ａ、１４２Ａ、１４３Ａがそれぞれ形成されている。この開口１４１Ａ、１４２Ａ、１４３Ａはワイヤ１１０の外径より大きい内径をそれぞれ備えている。これら掛合具１４１、１４２、１４３は第１支柱１３１と第２支柱１３２と第３支柱１３３の配列方向に対して略直交する方向にそれぞれ突出している。
【００３４】
ワイヤ１１０は第１支柱１３１の掛合具１４１と第３支柱１３３の掛合具１４３と第２支柱１３２の掛合具１４２のそれぞれの開口１４１Ａ、１４３Ａ、１４２Ａに順次挿通された状態で第１支柱１３１と第２支柱１３２の間に第３支柱１３３を介して架設されており、これら掛合具１４１、１４２、１４３に対してそれぞれ移動可能に支持されている。
【００３５】
また、ワイヤ１１０は第１支柱１３１の掛合具１４１を越えて下方に延在する第１延在部分１１０ａと、第２支柱１３２の掛合具１４２を越えて下方に延在する第２延在部分１１０ｂと、第１支柱１３１及び第２支柱１３２の間の架設部分１１０ｃとを有しており、このうち第１延在部分１１０ａと第２延在部分１１０ｂには第１錘１２１と第２錘１２２がそれぞれ接続されて吊り下げられており、これら第１錘１２１と第２錘１２２の重量によってワイヤ１１０の架設部分１１０ｃに張力が与えられた状態になっている。これにより、ワイヤ１１０の架設部分１１０ｃに荷重が印加されると、第１錘１２１と第２錘１２２がそれぞれ上下動してワイヤ１１０の架設部分１１０ｃが撓むようになっている。
【００３６】
ここで、第３支柱１３３の掛合具１４３はその両側の第１支柱１３１と第２支柱１３２のそれぞれの掛合具１４１、１４２に比べて高い位置に設置されている。したがって、ワイヤ１１０の架設部分１１０ｃは、真ん中の掛合具１４３から両側の掛合具１４１、１４２に向かってそれぞれ下方向に傾斜している。これにより、鳥をワイヤ１１０の架設部分１１０ｃに止まり難くすることができる。
【００３７】
第１錘１２１と第２錘１２２の開口１２１Ａ、１２２Ａは第１支柱１３１と第２支柱１３２の外径より大きな内径をそれぞれ備えており、これら開口１２１Ａ、１２２Ａに第１支柱１３１と第２支柱１３２がそれぞれ挿通されている。これにより、第１錘１２１と第２錘１２２は隙間を備えた状態で第１支柱１３１と第２支柱１３２をそれぞれ接触可能に取り囲んでいる。このとき、第１錘１２１と第２錘１２２はワイヤ１１０の第１延在部分１１０ａと第２延在部分１１０ｂにそれぞれ接続されて吊り下げられて前後左右のいずれの方向にも揺動自在にそれぞれ配置されている。したがって、第１錘１２１と第２錘１２２が前後左右のいずれの方向に揺動しても第１錘１２１と第２錘１２２の内周部１２１ａ、１２２ａを第１支柱１３１と第２支柱１３２の周面部１３１ｂ、１３２ｂにそれぞれ確実に接触させて音を発生させることができる。
【００３８】
図２に示すように、このように構成された鳥威嚇器１００は以下のように作動する。鳥Ｂがワイヤ１１０の第１支柱１３１と第３支柱１３３の間部分に止まると、第１錘１２１が二点鎖線で示す第１錘１２１'の位置までＤ方向に降下するとともに第２錘１２２が二点鎖線で示す第２錘１２２'の位置までＵ方向に上昇して、ワイヤ１１０が二点鎖線で示すワイヤ１１０'の形状に撓むとともに、第１錘１２１と第２錘１２２の内周部１２１ａ、１２２ａが第１支柱１３１と第２支柱１３２の周面部１３１ｂ、１３２ｂにそれぞれ接触して音が発生する。なお、鳥Ｂがワイヤ１１０の第２支柱１３２と第３支柱１３３の間部分に止まると、逆に第１錘１２１が上昇するとともに第２錘１２２が降下する。
【００３９】
一方、鳥Ｂが二点鎖線で示すワイヤ１１０'の第１支柱１３１と第３支柱１３３の間部分から離れると、第１錘１２１と第２錘１２２がそれぞれ自重によって元の位置に戻るとともに、ワイヤ１１０'が第１錘１２１と第２錘１２２によって互いに反対方向に引っ張られて実線で示すワイヤ１１０の形状に戻る。なお、鳥Ｂがワイヤ１１０の第２支柱１３２と第３支柱１３３の間部分から離れた場合も同様に作動する。また、ワイヤ１１０の撓み方と第１錘１２１と第２錘１２２の上下動の仕方はワイヤ１１０の剛性等によって様々に変化する。
【００４０】
図３に別の鳥威嚇器を示す。この鳥威嚇器１０１はワイヤ１１０の代わりに紐１１１を用いたものである。この紐１１１はワイヤ１１０に比べて剛性が小さいものであり、可撓性を備えている。鳥威嚇器１０１の他の構成要素は鳥威嚇器１００と同一であり、同一符号を付しその説明は省略する。
【００４１】
図３に示すように、鳥威嚇器１０１は以下のように作動する。鳥Ｂが紐１１１の第１支柱１３１と第３支柱１３３の間部分に止まると、第１錘１２１と第２錘１２２が二点鎖線で示す第１錘１２１"と第２錘１２２"の位置までそれぞれＵ方向に上昇して、紐１１１が二点鎖線で示す紐１１１'の形状に撓むとともに、これら第１錘１２１と第２錘１２２の内周部１２１ａ、１２２ａが第１支柱１３１と第２支柱１３２の周面部１３１ｂ、１３２ｂにそれぞれ接触して音が発生する。なお、鳥Ｂが紐１１１の第２支柱１３２と第３支柱１３３の間部分に止まった場合も同様に作動する。
【００４２】
一方、鳥Ｂが二点鎖線で示す紐１１１'の第１支柱１３１と第３支柱１３３の間部分から離れると、第１錘１２１と第２錘１２２がそれぞれ自重によって元の位置に降下して二点鎖線で示す紐１１１'を互いに反対方向に引っ張って、紐１１１'が実線で示す紐１１１の形状に戻る。なお、鳥Ｂが紐１１１の第２支柱１３２と第３支柱１３３の間部分から離れた場合も同様に作動する。
【００４３】
［防鳥器］
次に、図４及び図５に示すように、防鳥器２００は、回転羽根２１０と、この回転羽根２１０を支持するガイド部材２２０とを有している。この回転羽根２１０は回転軸２１１と、回転軸２１１を支持する一対の軸受２１２、２１３と、回転軸２１１から張り出した４枚の光反射板２１４、２１５、２１６、２１７とから構成されている。
【００４４】
回転軸２１１は所定長さを備えた円筒状である。一対の軸受２１２、２１３は回転軸２１１の両端部にそれぞれ取り付けられており、回転軸２１１をその軸線ａ回りに回転自在に支持している。また、４枚の光反射板２１４、２１５、２１６、２１７は、略半円状の板であり、その表裏の板面が光反射可能に構成されている。例えば４枚の光反射板はステンレス製の如き金属製であってその表裏の板面が光反射可能に構成されていたり、４枚の光反射板の板面上に光反射物質が貼付、塗布又は印刷等により積層されていたりする。これら４枚の光反射板２１４、２１５、２１６、２１７は回転軸２１１の軸線ａ回りに略９０°毎に回転軸２１１の周面部から張り出している。
【００４５】
これら４枚の光反射板２１４、２１５、２１６、２１７は回転軸２１１に取り付けられているとともに、この回転軸２１１は一対の軸受２１２、２１３によって軸線ａ回りに回転するようになっているので、４枚の光反射板２１４、２１５、２１６、２１７は軸線ａ回りに回転するようになっている。
【００４６】
ガイド部材２２０は円環状体であり、その内部に円環状の収容部２２０ａが形成されている。この収容部２２０ａはガイド部材２２０の内周部２２１と一対の側部２２２、２２３と外周部２２４とによって囲まれており、その内周部２２１には開口が周回状に形成されている。このガイド部材２２０の収容部２２０ａには回転羽根２１０の一対の軸受２１２、２１３がそれぞれ収容部２２０ａに沿って摺動自在に保持されており、これら一対の軸受２１２、２１３は回転軸２１１によって連結されている。したがって、一対の軸受２１２、２１３がガイド部材２２０の収容部２２０ａに沿って摺動すると、一対の軸受２１２、２１３はガイド部材２２０の中心線である軸線ｂ回りに回転するようになっており、ひいては回転羽根２１０の全体が軸線ｂ回りに回転するようになっている。ここで、この軸線ｂは軸線ａに対して略直交している。
【００４７】
また、ガイド部材２２０は鳥威嚇器１００の内側に固定されている。具体的には、ガイド部材２２０の上部から第３支柱１３３が立設しており、ガイド部材２２０の両側を第１支柱１３１と第２支柱１３２が連結部材２３１、２３２を介してそれぞれ支持しており、ガイド部材２２０の底部を支持部材２３３が支持している。この支持部材２３３は第１支柱１３１と第２支柱１３２を連結しており、その底部に開口２３４Ａを備えた取り付け部材２３４が配置されている。したがって、ボルト等の締結具を取り付け部材２３４の開口２３４Ａに挿通して鳥避け器具１０００を鉄塔や電柱に取り付けることができるようになっている。
【００４８】
このように構成された防鳥器２００は以下のように作動する。所定方向から風が吹くと回転羽根２１０の４枚の光反射板２１４、２１５、２１６、２１７が軸線ａ回りに回転する。風方向によっては、４枚の光反射板２１４、２１５、２１６、２１７が軸線ａ回りに回転するとともに回転羽根２１０の一対の軸受２１２、２１３が軸線ｂ回りに回転する。
【００４９】
上述のように構成された鳥避け器具１０００は、ワイヤ１１０が可撓性を備えており、掛合具１４１、１４２、１４３のそれぞれに移動可能に支持された状態で第１支柱１３１と第３支柱１３３と第２支柱１３２との間に架設されており、ワイヤ１１０の第１延在部分１１０ａと第２延在部分１１０ｂに第１錘１２１と第２錘１２２がそれぞれ上下動可能に吊り下げられてワイヤ１１０の架設部分１１０ｃに張力が与えられているので、ワイヤ１１０の架設部分１１０ｃを容易に撓ませることができ、鳥を止まり難くすることができるとともに、第１錘１２１と第２錘１２２の重量によってワイヤ１１０の架設部分１１０ｃに自動的に張力が与えられた状態に戻すことができ、コイルばねを使用する場合に比べて単純な構成とすることができるとともに高い耐久性を備えることができる。
【００５０】
本実施形態においては、第１錘１２１と第２錘１２２は隙間を備えた状態で第１支柱１３１と第２支柱１３２をそれぞれ接触可能に取り囲んでいるとともに、それぞれワイヤ１１０に接続されて吊り下げられて前後左右のいずれの方向に揺動自在に配置されているので、第１錘１２１と第２錘１２２が前後左右のいずれの方向に揺動しても第１錘１２１と第２錘１２２の内周部１２１ａ、１２２ａを第１支柱１３１と第２支柱１３２の周面部１３１ｂ、１３３ｂにそれぞれ接触させて音を発生させることができる。この音によって鳥を追い払うことができる。
【００５１】
また、回転羽根２１０は４枚の光反射板２１４、２１５、２１６、２１７が軸線ａ回りに回転するようになっているとともに、一対の軸受２１２、２１３が軸線ｂ回りに回転するようになっていることにより、風量や風方向に応じて回転羽根２１０の姿勢や回転状態が変化するため、反射光の反射態様を様々に変化させることができるから、鳥が一様な反射光に慣れてしまうことがなくなるので、効果的に鳥を威嚇できる。
【００５２】
尚、本実施形態の鳥避け器具１０００は、上述の図示例にのみ限定されるものではなく、本考案の要旨を逸脱しない範囲内において種々変更を加え得ることは勿論である。例えば、本実施形態においては、ワイヤ１１０の両方の端部に錘（第１錘１２１及び第２錘１２２）がそれぞれ接続されて吊り下げられているが、ワイヤ１１０のいずれか一方の端部を支柱（第１支柱１３１又は第２支柱１３２）に固定してもよい。
【００５３】
また、本実施形態においては、第１支柱１３１と第２支柱１３２の間に第３支柱１３３が１本配置されているが、この第３支柱の本数は限定されず、第３支柱自体が無くてもよいし、第３支柱が２本以上配置されていてもよい。
【符号の説明】
【００５４】
１０００…鳥避け器具、１００、１０１…鳥威嚇器、１１０、１１０'…ワイヤ、１１０ａ…第１延在部分、１１０ｂ…第２延在部分、１１０ｃ…架設部分、１１１、１１１'…紐、１２１、１２１'、１２１"…第１錘、１２２、１２２'、１２２"…第２錘、１２１Ａ、１２２Ａ、１４１Ａ、１４２Ａ、１４３Ａ、２３４Ａ…開口、１２１ａ、１２２ａ…内周部、１３１…第１支柱、１３２…第２支柱、１３３…第３支柱、１３１ａ、１３２ａ、１３３ａ…上端部、１３１ｂ、１３２ｂ、１３３ｂ…周面部、１４１、１４２、１４３…掛合具、２００…防鳥器、２１０…回転羽根、２１１…回転軸、２１２、２１３…軸受、２１４、２１５、２１６、２１７…光反射板、２２０…ガイド部材、２２０ａ…収容部、２２１…内周部、２２２、２２３…側部、２２４…外周部、２３１、２３２…連結部材、２３３…支持部材、２３４…取り付け部材、Ｂ…鳥、Ｄ、Ｕ…方向、ａ、ｂ…軸線
【図１】
0003156186.tif 000003
【図２】
0003156186.tif 000004
【図３】
0003156186.tif 000005
【図４】
0003156186.tif 000006
【図５】
0003156186.tif 000007